(57)【特許請求の範囲】
【請求項１】
躯体と略面一に固定された窓サッシの外側を囲繞するように、躯体の外側に、ユニット化された下地パネルが設けられ、この下地パネルの開口端縁部を被覆するように、窓サッシと下地パネルとの間に枠材が設けられ、
この枠材は、窓サッシと下地パネルとの間に、それぞれシール材が設けられてなり、
下地パネルの表面には、この枠材を巻き込むようにして、タイルが貼設されてなることを特徴とする窓構造。
【発明の詳細な説明】
【０００１】
【発明の属する技術分野】
本発明は、外壁より奥まった位置に窓サッシが取り付けられてなる窓構造に関するものである。
【０００２】
【従来の技術】
一般に、住宅の外壁に、５０ｍｍ以上の厚みを有するコンクリート製の外壁パネルを使用することが行われている。
【０００３】
従来より、このようなコンクリート外壁パネルの厚みを利用して、この厚み分だけ奥まった位置に窓サッシを取り付けることで、コンクリート外壁パネルの厚みを強調して、住宅の外観に重厚さや深みを持たせて高級感を演出することが行われている。
【０００４】
【発明が解決しようとする課題】
しかし、外壁パネルが、矩形に枠組みされたフレームの片面にセラミック板を貼設したような薄型の複合板からなるセラミック外壁パネルの場合、充分な厚みが無いために、上記従来のような窓構造にすることができない。
【０００５】
本発明は、係る実情に鑑みてなされたものであって、セラミック外壁パネルのような薄型の複合板であっても、厚みを強調することができる窓構造を提供することを目的としている。
【０００６】
【課題を解決するための手段】
上記課題を解決するための本発明の窓構造は、躯体と略面一に固定された窓サッシの外側を囲繞するように、躯体の外側に、ユニット化された下地パネルが設けられ、この下地パネルの開口端縁部を被覆するように、窓サッシと下地パネルとの間に枠材が設けられ、この枠材は、窓サッシと下地パネルとの間に、それぞれシール材が設けられてなり、下地パネルの表面には、この枠材を巻き込むようにして、タイルが貼設されてなるものである。
【０００７】
この構成により、下地パネルの開口端縁部を枠材によって被覆処理することができる。また、この枠材は、下地パネルの表面に貼設されるタイルによって被覆されるので、外観上は、タイル外壁の奥まった位置に窓サッシが取り付けられたように見せることができる。
【０００８】
【発明の実施の形態】
以下、本発明の実施の形態を図面を参照して説明する。
【０００９】
図１は窓構造の全体構成の概略を示し、図２は同窓構造のタイル貼設前の状態を示し、図３および図４は同窓構造の断面図を示している。
すなわち、この窓構造は、躯体１に固定された窓サッシ２の外側に、窓サッシ２を囲繞するように下地パネル３が設けられ、この窓サッシ２と下地パネル３の開口３０との間に枠材４がシール材５を介して設けられ、下地パネル３の表面に、枠材４を巻き込むようにしてタイル６が貼設されている。
【００１０】
躯体１は、窓サッシ２の取付位置に開口フレーム１１が設けられている。
【００１１】
窓サッシ２は、その周縁部に取付金具２１がビス２２で固定されている。また、窓サッシ２の外側周縁部には、平滑面２３が形成されている。窓サッシ２は、上記取付金具２１によって、開口フレーム１１に固定される。窓サッシ２は、躯体１に固定された状態で、窓サッシ２が躯体１の外側面の内側に納まるように固定される。
【００１２】
下地パネル３は、矩形に枠組みされたフレーム３１の表面に、このフレーム３１と合致する大きさの板状となされた防耐火性の下地材３２を貼設して構成されている。
【００１３】
この下地パネル３は、フレーム３１の部分を、躯体１の外側に当接した状態で、このフレーム３１の部分が躯体１に設けられた取付金具（図示省略）によって固定されることで、この躯体１に固定される。この下地パネル３は、躯体１に固定した状態で、上記躯体１に固定された窓サッシ２の外周を囲繞するように、窓サッシ２に合致する矩形状の開口３０を形成した状態となされる。この開口３０は、複数の下地パネル３を、窓サッシ２の周囲に矩形に取り囲んで固定して形成するものであってもよいし、あらかじめ窓サッシ２の大きさに合わせて矩形の開口３０を形成した下地パネル３を使用するものであってもよい。
【００１４】
枠材４は、断面略Ｔ字状で窓サッシ２の大きさに合致する矩形状に枠組みされたものが使用される。この枠材４は、下地パネル３の開口３０の裏面側からフレーム３１に当接してビス３３で固定される。このように、下地パネル３に枠材４を固定した状態で、枠材４は、下地パネル３の端縁部を被覆するとともに、窓サッシ２の平滑面２２と対面することとなる。
【００１５】
また、上記下地パネル３と枠材４との間、および窓サッシ２の平滑面２２と枠材４との間には、バックアップ材５０を設けておいて、シール材５を充填硬化させ、窓サッシ２から下地パネル３までに生じる間隙を全て塞ぐ。
【００１６】
タイル６としては、例えば、横幅が約２００〜２５０ｍｍ、縦幅が約６０ｍｍ前後、厚みが約１０ｍｍ前後といった具合に形成され、表面にレンガ模様が施されたせっ器質タイルなどを用いることができる。このタイル６は、下地パネル３の表面に高耐候弾性接着剤７を塗布して接着される。この際、タイル６は、隣接するタイル６との間に目地６０が形成されるように、適宜の間隔を存して接着される。この目地の間隔としては、例えば、縦目地間隔５ｍｍ、横目地間隔７ｍｍといった具合に設けられる。この接着状態で、タイル６の目地６０からは、高耐候弾性接着剤７が見えることとなるが、この高耐候弾性接着剤７は、ダークグレーに着色されているため、目地６０からはあまり目立たないこととなる。なお、この状態で、目地６０に目地モルタル（図示省略）を充填して仕上げてもよい。ただし、目地モルタル（図示省略）を充填する場合、目地６０としては、例えば９ｍｍ程度に幅広く割り付けしておかなければならない。
【００１７】
また、タイル６は、下地パネル３の開口３０から枠材４を巻き込むように接着される。この接着に使用されるタイル６は、下地パネル３の厚みに相当する長さぶんだけ折り曲げられて断面Ｌ字状となされた開口専用のものが使用される。
【００１８】
ただし、開口３０の下辺に相当する部分には、窓サッシ２から延設された水切り２０が設けられる。したがって、この水切り２０と枠材４との間隙も、バックアップ材５０を介してシール材５を充填硬化させることによって止水処理がされる。
【００１９】
このようにして構成される窓構造によると、下地パネル３の開口３０に巻き込むようにして接着されたタイル６によって、タイル６は、あたかもこの巻き込んだ長さ、すなわち下地パネル３の厚みに相当する厚みを有するレンガブロックのように見える。したがって、フレーム３１に防耐火性の下地板３２を貼設した薄型の下地パネル３を使用しているにも関わらず、本物のレンガブロックを使用した外壁のような質感が得られることとなり、重厚さや深みのある外壁使いの住宅建物を構成することができる。
【００２０】
【発明の効果】
以上述べたように、本発明によると、タイル外壁の奥まった位置に窓サッシを取り付けたように見せることができるので、薄い複合板製の外壁パネルであっても、外壁の厚みを強調して重厚さや深みを持たせた高級感のある住宅建物を構成することができる。
【図面の簡単な説明】
【図１】本発明に係る窓構造の全体構成の概略を示す部分破断斜視図である。
【図２】本発明に係る窓構造のタイルを貼設する前の状態を示す部分破断斜視図である。
【図３】本発明に係る窓構造の水平断面図である。
【図４】本発明に係る窓構造の垂直断面図である。
【符号の説明】
１  躯体
２  窓サッシ
３  下地パネル
３０  開口（開口端縁部）
４  枠材
５  シール材
６  タイル
【図１】
0003686310.tif 000002
【図２】
0003686310.tif 000003
【図３】
0003686310.tif 000004
【図４】
0003686310.tif 000005